(57)【特許請求の範囲】
【請求項１】
Ｎ系統（Ｎは２以上の整数）のＯＦＤＭ信号情報系列のそれぞれに対応するＮ個の既知のパイロット信号を発生させるＮ個のパイロット信号発生器と、
前記Ｎ個のパイロット信号発生器にそれぞれ接続され、前記ＯＦＤＭ信号情報系列と前記パイロット信号とをそれぞれ多重化するＮ個のパイロット信号多重化器と、
前記Ｎ個のパイロット信号多重化器にそれぞれ接続され、該各パイロット信号多重化器が出力するＯＦＤＭ信号系列に対し高速逆フーリエ変換を行うＮ個の高速逆フーリエ変換器と、
前記Ｎ個の高速逆フーリエ変換器にそれぞれ接続され、該各高速逆フーリエ変換器が出力するＯＦＤＭ信号系列を、送信ＯＦＤＭ信号系列として同一の無線周波数で送信するＮ個の送信アンテナと、
を有するＯＦＤＭ信号送信装置と、
前記Ｎ個の送信アンテナから送信され、空間で相互に干渉した送信ＯＦＤＭ信号系列を、受信ＯＦＤＭ信号系列として受信するＮ個の受信アンテナと、
前記Ｎ個の受信アンテナにそれぞれ接続され、該各受信アンテナで受信された受信ＯＦＤＭ信号系列に対し高速フーリエ変換を行うＮ個の高速フーリエ変換器と、
前記Ｎ個の高速フーリエ変換器がそれぞれ出力する受信ＯＦＤＭ信号系列に含まれる受信パイロット信号をそれぞれ入力され、該各受信パイロット信号の受信振幅および位相と、前記各既知のパイロット信号の振幅および位相とから、各サブキャリアごとに、送信アンテナと受信アンテナの全ての組み合わせについての（Ｎ×Ｎ）個の伝達係数を要素とする行列を算出し、該行列の逆行列である伝達係数逆行列を算出し記憶する逆行列演算器と、
前記Ｎ個の高速フーリエ変換器がそれぞれ出力する受信ＯＦＤＭ信号系列に含まれる任意のサブキャリアに係る受信ＯＦＤＭ信号情報系列と、前記逆行列演算器が記憶する該任意のサブキャリアに係る前記伝達係数逆行列との積を演算し、該任意のサブキャリアに係る前記ＯＦＤＭ信号情報系列を出力する干渉キャンセラと、
を有するＯＦＤＭ信号受信装置と、
を備えるＯＦＤＭ信号伝送装置において、
前記ＯＦＤＭ信号受信装置における逆行列演算器は、
前記各受信パイロット信号の受信振幅および位相と、前記各既知のパイロット信号の振幅および位相とを用いて補正伝達係数逆行列を算出する手段と、
該補正伝達係数逆行列の各要素と前記記憶された伝達係数逆行列の各要素との加重平均を要素とする行列を算出する手段と、
該算出された行列を新たな伝達係数逆行列として記憶する手段と、
を有する、
ことを特徴とするＯＦＤＭ信号伝送装置。
【請求項２】
請求項１に記載のＯＦＤＭ信号伝送装置であって、
前記ＯＦＤＭ信号送信装置は、さらに、前記ＯＦＤＭ信号受信装置からの応答信号の受信品質に基づいて、前記パイロット信号が前記ＯＦＤＭ信号情報系列と多重化される周期を決定し該決定した周期を示す制御信号を出力するパイロット信号制御器を有し、
前記ＯＦＤＭ信号送信装置が有するパイロット信号多重化器は、前記パイロット信号制御器が出力する制御信号を入力され、該制御信号が示す周期でパイロット信号を前記ＯＦＤＭ信号情報系列と多重化し、
前記ＯＦＤＭ信号受信装置が有する高速フーリエ変換器は、前記パイロット信号制御器が出力する制御信号を入力され、高速フーリエ変換を行った受信パイロット信号を該制御信号が示す周期で前記逆行列演算器へ出力する、
ことを特徴とするＯＦＤＭ信号伝送装置。
【請求項３】
Ｎ系統（Ｎは２以上の整数）のＯＦＤＭ信号情報系列のそれぞれに対応するＮ個の既知のパイロット信号を発生させるＮ個のパイロット信号発生器と、
前記Ｎ個のパイロット信号発生器にそれぞれ接続され、前記ＯＦＤＭ信号情報系列と前記パイロット信号とをそれぞれ多重化するＮ個のパイロット信号多重化器と、
前記Ｎ個のパイロット信号多重化器にそれぞれ接続され、該各パイロット信号多重化器が出力するＯＦＤＭ信号系列に対し高速逆フーリエ変換を行うＮ個の高速逆フーリエ変換器と、
前記Ｎ個の高速逆フーリエ変換器にそれぞれ接続され、該各高速逆フーリエ変換器が出力するＯＦＤＭ信号系列を、送信ＯＦＤＭ信号系列として同一の無線周波数で送信するＮ個の送信アンテナと、
を有するＯＦＤＭ信号送信装置であって、
前記Ｎ個の送信アンテナから送信され、空間で相互に干渉した送信ＯＦＤＭ信号系列を、受信ＯＦＤＭ信号系列として受信するＮ個の受信アンテナと、前記Ｎ個の受信アンテナにそれぞれ接続され、該各受信アンテナで受信された受信ＯＦＤＭ信号系列に対し高速フーリエ変換を行うＮ個の高速フーリエ変換器と、前記Ｎ個の高速フーリエ変換器がそれぞれ出力する受信ＯＦＤＭ信号系列に含まれる受信パイロット信号をそれぞれ入力され、該各受信パイロット信号の受信振幅および位相と、前記各既知のパイロット信号の振幅および位相とから、各サブキャリアごとに、送信アンテナと受信アンテナの全ての組み合わせについての（Ｎ×Ｎ）個の伝達係数を要素とする行列を算出し、該行列の逆行列である伝達係数逆行列を算出し記憶する逆行列演算器と、前記Ｎ個の高速フーリエ変換器がそれぞれ出力する受信ＯＦＤＭ信号系列に含まれる任意のサブキャリアに係る受信ＯＦＤＭ信号情報系列と、前記逆行列演算器が記憶する該任意のサブキャリアに係る前記伝達係数逆行列との積を演算し、該任意のサブキャリアに係る前記ＯＦＤＭ信号情報系列を出力する干渉キャンセラと、を有し、前記逆行列演算器が、さらに、前記各受信パイロット信号の受信振幅および位相と、前記各既知のパイロット信号の振幅および位相とを用いて補正伝達係数逆行列を算出する手段と、該補正伝達係数逆行列の各要素と前記記憶された伝達係数逆行列の各要素との加重平均を要素とする行列を算出する手段と、該算出された行列を新たな伝達係数逆行列として記憶する手段とを有する、ＯＦＤＭ信号受信装置、
へＯＦＤＭ信号系列を送信することを特徴とするＯＦＤＭ信号送信装置。
【請求項４】
請求項３に記載のＯＦＤＭ信号送信装置であって、
さらに、前記ＯＦＤＭ信号受信装置からの応答信号の受信品質に基づいて、前記パイロット信号が前記ＯＦＤＭ信号情報系列と多重化される周期を決定し該決定した周期を示す制御信号を出力するパイロット信号制御器を有し、
前記パイロット信号多重化器は、前記パイロット信号制御器が出力する制御信号を入力され、該制御信号が示す周期でパイロット信号を前記ＯＦＤＭ信号情報系列と多重化し、
前記パイロット信号制御器が出力する制御信号を入力され、高速フーリエ変換を行った受信パイロット信号を該制御信号が示す周期で前記逆行列演算器へ出力する前記高速フーリエ変換器を、請求項３に記載の高速フーリエ変換器に代えて有するＯＦＤＭ信号受信装置へＯＦＤＭ信号系列を送信する、
ことを特徴とするＯＦＤＭ信号送信装置。
【請求項５】
Ｎ系統（Ｎは２以上の整数）のＯＦＤＭ信号情報系列のそれぞれに対応するＮ個の既知のパイロット信号を発生させるＮ個のパイロット信号発生器と、前記Ｎ個のパイロット信号発生器にそれぞれ接続され、前記ＯＦＤＭ信号情報系列と前記パイロット信号とをそれぞれ多重化するＮ個のパイロット信号多重化器と、前記Ｎ個のパイロット信号多重化器にそれぞれ接続され、該各パイロット信号多重化器が出力するＯＦＤＭ信号系列に対し高速逆フーリエ変換を行うＮ個の高速逆フーリエ変換器と、前記Ｎ個の高速逆フーリエ変換器にそれぞれ接続され、該各高速逆フーリエ変換器が出力するＯＦＤＭ信号系列を、送信ＯＦＤＭ  信号系列として同一の無線周波数で送信するＮ個の送信アンテナと、を有するＯＦＤＭ信号送信装置、
から送信されるＯＦＤＭ信号系列を受信するＯＦＤＭ信号受信装置であって、
前記Ｎ個の送信アンテナから送信され、空間で相互に干渉した送信ＯＦＤＭ信号系列を、受信ＯＦＤＭ信号系列として受信するＮ個の受信アンテナと、
前記Ｎ個の受信アンテナにそれぞれ接続され、該各受信アンテナで受信された受信ＯＦＤＭ信号系列に対し高速フーリエ変換を行うＮ個の高速フーリエ変換器と、
前記Ｎ個の高速フーリエ変換器がそれぞれ出力する受信ＯＦＤＭ信号系列に含まれる受信パイロット信号をそれぞれ入力され、該各受信パイロット信号の受信振幅および位相と、前記各既知のパイロット信号の振幅および位相とから、各サブキャリアごとに、送信アンテナと受信アンテナの全ての組み合わせについての（Ｎ×Ｎ）個の伝達係数を要素とする行列を算出し、該行列の逆行列である伝達係数逆行列を算出し記憶する逆行列演算器と、
前記Ｎ個の高速フーリエ変換器がそれぞれ出力する受信ＯＦＤＭ信号系列に含まれる任意のサブキャリアに係る受信ＯＦＤＭ信号情報系列と、前記逆行列演算器が記憶する該任意のサブキャリアに係る前記伝達係数逆行列との積を演算し、該任意のサブキャリアに係る前記ＯＦＤＭ信号情報系列を出力する干渉キャンセラと、を有し、
前記逆行列演算器は、
前記各受信パイロット信号の受信振幅および位相と、前記各既知のパイロット信号の振幅および位相とを用いて補正伝達係数逆行列を算出する手段と、
該補正伝達係数逆行列の各要素と前記記憶された伝達係数逆行列の各要素との加重平均を要素とする行列を算出する手段と、
該算出された行列を新たな伝達係数逆行列として記憶する手段と、
を有する、
ことを特徴とするＯＦＤＭ信号受信装置。
【請求項６】
請求項５に記載のＯＦＤＭ信号受信装置であって、
前記ＯＦＤＭ信号受信装置からの応答信号の受信品質に基づいて、前記パイロット信号が前記ＯＦＤＭ信号情報系列と多重化される周期を決定し該決定した周期を示す制御信号を出力するパイロット信号制御器をさらに有し、前記パイロット信号多重化器が、前記パイロット信号制御器が出力する制御信号を入力され、該制御信号が示す周期でパイロット信号を前記ＯＦＤＭ信号情報系列と多重化する前記ＯＦＤＭ信号送信装置、
から送信されるＯＦＤＭ信号系列を受信し、
前記高速フーリエ変換器は、前記パイロット信号制御器が出力する制御信号を入力され、高速フーリエ変換を行った受信パイロット信号を該制御信号が示す周期で前記逆行列演算器へ出力する、
ことを特徴とするＯＦＤＭ信号受信装置。
【発明の詳細な説明】
【０００１】
【発明の属する技術分野】
本発明は、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：直交周波数分割多重）信号伝送装置、ＯＦＤＭ信号送信装置およびＯＦＤＭ信号受信装置に関し、特に、複数の送信アンテナと複数の受信アンテナを用いて通信を行うＯＦＤＭ信号伝送装置、ＯＦＤＭ信号送信装置およびＯＦＤＭ信号受信装置に関する。
【０００２】
【従来の技術】
［伝送品質］
広帯域移動体通信においては、移動体通信におけるマルチパスフェージング環境下において一定レベルの伝送品質を維持するために、周波数選択性フェージングについての対策をとる必要がある。この周波数選択性フェージングについての対策としては、送信信号を互いに直交するサブキャリア群に分割して、マルチキャリア伝送を行うＯＦＤＭ方式が知られている。
【０００３】
［伝送容量］
また、広帯域移動体通信においては、限られた周波数帯の中で大容量化を図るために、周波数利用効率の向上についての対策をとる必要がある。この周波数利用効率の向上についての対策としては、同一周波数帯において複数の送信アンテナと複数の受信アンテナを用いてＭＩＭＯ（Ｍｕｌｔｉｐｌｅ−Ｉｎｐｕｔ  Ｍｕｌｔｉｐｌｅ−Ｏｕｔｐｕｔ）チャネルを構成し、
【０００４】
送信アンテナと受信アンテナとの全ての組み合わせについての伝達係数を測定し、該伝達係数を各要素とする伝達係数行列の逆行列（以下、「伝達係数逆行列」という）を、受信されたＯＦＤＭ信号系列に乗算することによって、相互干渉をキャンセルし、送信されたＯＦＤＭ信号系列を復元する方式が知られている。
【０００５】
［伝送品質・伝送容量］
以上のような方式を考慮して、従来のＯＦＤＭ信号伝送装置は、図４に記載のように構成されていた。以下、この従来のＯＦＤＭ信号伝送装置について説明する。
【０００６】
図４は、従来のＯＦＤＭ信号伝送装置を示す図である。従来のＯＦＤＭ信号伝送装置は、ＯＦＤＭ信号送信装置３とＯＦＤＭ信号受信装置４から構成される。パイロット信号多重化器３−４−１〜３−４−Ｎは、同一ＴＤＭＡバーストにおいて送信されるべきＯＦＤＭ信号情報系列Ｔ1、Ｔ2、・・・ＴNを入力される。
【０００７】
また、パイロット信号多重化器３−４−１〜３−４−Ｎは、パイロット信号発生器３−３−１〜３−３−Ｎが出力する、Ｔ1、Ｔ2、・・・ＴNにそれぞれ対応した既知のパイロット信号Ｐ11〜Ｐ1N、Ｐ21〜Ｐ2N、・・・、ＰN1〜ＰNNを入力される。
【０００８】
パイロット信号多重化器３−４−１〜３−４−Ｎは、この入力されたＯＦＤＭ信号情報系列Ｔ1、Ｔ2、・・・ＴNと、パイロット信号発生器３−３−１〜３−３−Ｎが出力する既知のパイロット信号Ｐ11〜Ｐ1N、Ｐ21〜Ｐ2N、・・・、ＰN1〜ＰNNとを、時間軸上においてそれぞれ多重化する。
【０００９】
そして、パイロット信号多重化器３−４−１〜３−４−Ｎは、これら多重化された信号を高速逆フーリエ変換器３−１−１〜３−１−Ｎへそれぞれ出力する。高速逆フーリエ変換器３−１−１〜３−１−Ｎは、入力された信号系列を高速逆フーリエ変換し、各送信アンテナ３−２−１〜３−２−Ｎへ出力する。
【００１０】
この各送信アンテナ３−２−１〜３−２−Ｎに入力された信号系列は、送信ＯＦＤＭ信号系列として、ＯＦＤＭ信号受信装置４に向けて送信される。各送信ＯＦＤＭ信号系列が送信アンテナ３−２−１〜３−２−Ｎから送信されるタイミングについては、同期がとられている。
【００１１】
図５は、送信ＯＦＤＭ信号系列の例を示す図である。図５に示すように、パイロット信号は、ＯＦＤＭ信号情報系列の先頭に位置する。
送信アンテナ３−２−１〜３−２−Ｎから送信された送信ＯＦＤＭ信号系列は、空間において加算され、ＯＦＤＭ信号受信装置４は、この加算された信号を、受信ＯＦＤＭ信号系列として、各受信アンテナ４−１−１〜４−１−Ｎで受信する。
各受信ＯＦＤＭ信号系列が受信アンテナ４−２−１〜４−２−Ｎで受信されるタイミングについては、同期がとられている。
【００１２】
図６は、受信アンテナ４−１−１〜４−１−Ｎで受信される受信ＯＦＤＭ信号系列の例を示す図である。図６に示すように、受信ＯＦＤＭ信号系列においては、受信ＯＦＤＭ信号情報系列Ｒ1、Ｒ2、・・・、ＲNと、これらＲ1、Ｒ2、・・・、ＲNにそれぞれ対応した受信パイロット信号Ｐr21〜Ｐr1N、Ｐr21〜Ｐr2N、・・・、ＰrN1〜ＰrNNとがそれぞれ時間軸上において多重化されている。
【００１３】
受信アンテナ４−１−１〜４−１−Ｎで受信された信号は、各高速フーリエ変換器４−２−１〜４−２−Ｎに入力され、高速フーリエ変換される。
伝達係数は、ＯＦＤＭ信号の各サブキャリアがＯＦＤＭシンボル内において一定振幅で一定位相の信号であるため、次のようになる。
【００１４】
伝達係数は、サブキャリアごとに、送信アンテナの数Ｎと受信アンテナの数Ｎの積であるＮ×Ｎ個ある。
したがって、ＯＦＤＭ信号の全サブキャリア数をＭ（Ｍは１以上の整数）とすると、伝達係数は、合計Ｎ×Ｎ×Ｍ個ある。
よって、Ｍ×Ｎ×Ｎ個の伝達係数は、全サブキャリアに係る、すべての送信アンテナと受信アンテナの組み合わせを表現する。
【００１５】
ｉ番目（１≦ｉ≦Ｎ）のサブキャリアに着目して、このサブキャリアの伝達係数を行列Ｈiとすると、行列Ｈiは、前記送信パイロット信号と前記受信パイロット信号とを用いると、Ｎ×Ｎの正方行列として次のように表すことができる。
【００１６】
【数１】
0003774168.tif 000002
【００１７】
ここで、ｈijは、送信アンテナ３−２−ｉ（１≦ｉ≦Ｎ）から受信アンテナ４−１−ｊ（１≦ｊ≦Ｎ）への伝達係数である。
以下、本明細書においては、行列Ｈを伝達係数行列と呼ぶ。
行列Ｈiを用いると、ｉ番目のサブキャリアにおいて、前記送信パイロット信号Ｐ11〜Ｐ1N、Ｐ21〜Ｐ2N、・・・、ＰN1〜ＰNNと前記受信パイロット信号Ｐr21〜Ｐr1N、Ｐr21〜Ｐr2N、・・・、ＰrN1〜ＰrNNとの関係は、つぎのようになる。
【００１８】
【数２】
0003774168.tif 000003
【００１９】
逆行列演算器４−３は、数２を利用して、前記伝達係数行列Ｈiの逆行列である（Ｈi）-1（伝達係数逆行列）を次のように求める。
【００２０】
【数３】
0003774168.tif 000004
逆行列演算器４−３は、各サブキャリアの伝達係数逆行列をそれぞれ記憶する。
【００２１】
一方、伝達係数行列Ｈiを用いると、送信ＯＦＤＭ信号情報系列Ｔ1、Ｔ2、・・・ＴNと受信ＯＦＤＭ信号情報系列Ｒ1、Ｒ2、・・・、ＲNとの関係は、次のように表される。
【００２２】
【数４】
0003774168.tif 000005
【００２３】
干渉キャンセラ４−４は、数４と、高速フーリエ変換器４−２−１〜４−２−Ｎから入力された受信ＯＦＤＭ信号情報系列Ｒ1、Ｒ2、・・・、ＲNと、逆行列演算器４−３から入力された伝達係数逆行列（Ｈi）-1と用いて、送信ＯＦＤＭ信号情報系列Ｔ1、Ｔ2、・・・ＴNを次のように復元する。
【００２４】
【数５】
0003774168.tif 000006
【００２５】
以上説明したように、従来のＯＦＤＭ信号伝送装置は、ＯＦＤＭ信号送信装置がＯＦＤＭ信号情報系列と既知のパイロット信号と多重化し、ＯＦＤＭ信号受信装置が受信パイロット信号の位相・振幅を既知のパイロット信号で正規化することによって、伝達係数を求めていた。
【００２６】
そして、この従来のＯＦＤＭ信号伝送装置は、干渉キャンセルのための伝達係数逆行列をサブキャリアごとに求め、数５に示した演算を行うことにより、複数の送信アンテナから送信されたＯＦＤＭ信号相互の干渉をキャンセルし、送信ＯＦＤＭ信号情報系列を復元していた。
【００２７】
【発明が解決しようとしている課題】
しかし、上記従来のＯＦＤＭ信号伝送装置における伝達係数逆行列は、任意のＴＤＭＡバーストについて、このＴＤＭＡバーストの先頭にあるパイロット信号に基づき一回推定されるのみである。
一方、ＯＦＤＭ信号伝送装置における干渉キャンセルは、ＴＤＭＡバーストの後方にあるＯＦＤＭ情報信号について順次行われるものである。
【００２８】
したがって、上記従来のＯＦＤＭ信号伝送装置では、フェージングの時間的変動が大きい場合に、すなわち、ＴＤＭＡバーストの先頭にある信号と後方にある信号との信号劣化の度合いが大きく異なる場合に、伝達係数逆行列の推定精度が劣化するという問題があった。
【００２９】
そこで、本発明は、かかる事情に鑑み、フェージングの時間的変動が大きい場合であっても、伝達係数逆行列の推定精度が高く、かつ、十分に干渉キャンセルを行うことができる、ＯＦＤＭ信号伝送装置、ＯＦＤＭ信号送信装置およびＯＦＤＭ信号受信装置を提供することを目的とする。
【００３０】
【課題を解決するための手段】
本発明によれば、上記課題は、前記特許請求の範囲に記載の手段により解決される。
【００３１】
すなわち、請求項１に記載の発明は、Ｎ系統（Ｎは２以上の整数）のＯＦＤＭ信号情報系列のそれぞれに対応するＮ個の既知のパイロット信号を発生させるＮ個のパイロット信号発生器と、
前記Ｎ個のパイロット信号発生器にそれぞれ接続され、前記ＯＦＤＭ信号情報系列と前記パイロット信号とをそれぞれ多重化するＮ個のパイロット信号多重化器と、
【００３２】
前記Ｎ個のパイロット信号多重化器にそれぞれ接続され、該各パイロット信号多重化器が出力するＯＦＤＭ信号系列に対し高速逆フーリエ変換を行うＮ個の高速逆フーリエ変換器と、
【００３３】
前記Ｎ個の高速逆フーリエ変換器にそれぞれ接続され、該各高速逆フーリエ変換器が出力するＯＦＤＭ信号系列を、送信ＯＦＤＭ信号系列として同一の無線周波数で送信するＮ個の送信アンテナと、を有するＯＦＤＭ信号送信装置と、
【００３４】
前記Ｎ個の送信アンテナから送信され、空間で相互に干渉した送信ＯＦＤＭ信号系列を、受信ＯＦＤＭ信号系列として受信するＮ個の受信アンテナと、前記Ｎ個の受信アンテナにそれぞれ接続され、該各受信アンテナで受信された受信ＯＦＤＭ信号系列に対し高速フーリエ変換を行うＮ個の高速フーリエ変換器と、
【００３５】
前記Ｎ個の高速フーリエ変換器がそれぞれ出力する受信ＯＦＤＭ信号系列に含まれる受信パイロット信号をそれぞれ入力され、該各受信パイロット信号の受信振幅および位相と、前記各既知のパイロット信号の振幅および位相とから、各サブキャリアごとに、送信アンテナと受信アンテナの全ての組み合わせについての（Ｎ×Ｎ）個の伝達係数を要素とする行列を算出し、該行列の逆行列である伝達係数逆行列を算出し記憶する逆行列演算器と、
【００３６】
前記Ｎ個の高速フーリエ変換器がそれぞれ出力する受信ＯＦＤＭ信号系列に含まれる任意のサブキャリアに係る受信ＯＦＤＭ信号情報系列と、前記逆行列演算器が記憶する該任意のサブキャリアに係る前記伝達係数逆行列との積を演算し、該任意のサブキャリアに係る前記ＯＦＤＭ信号情報系列を出力する干渉キャンセラと、を有するＯＦＤＭ信号受信装置と、を備えるＯＦＤＭ信号伝送装置において、
【００３７】
前記ＯＦＤＭ信号受信装置における逆行列演算器は、前記各受信パイロット信号の受信振幅および位相と、前記各既知のパイロット信号の振幅および位相とを用いて補正伝達係数逆行列を算出する手段と、該補正伝達係数逆行列の各要素と前記記憶された伝達係数逆行列の各要素との加重平均を要素とする行列を算出する手段と、該算出された行列を新たな伝達係数逆行列として記憶する手段と、を有する、ことを特徴とするＯＦＤＭ信号伝送装置である。
【００３８】
請求項２に記載の発明は、請求項１に記載のＯＦＤＭ信号伝送装置であって、前記ＯＦＤＭ信号送信装置は、さらに、前記ＯＦＤＭ信号受信装置からの応答信号の受信品質に基づいて、前記パイロット信号が前記ＯＦＤＭ信号情報系列と多重化される周期を決定し該決定した周期を示す制御信号を出力するパイロット信号制御器を有し、
【００３９】
前記ＯＦＤＭ信号送信装置が有するパイロット信号多重化器は、前記パイロット信号制御器が出力する制御信号を入力され、該制御信号が示す周期でパイロット信号を前記ＯＦＤＭ信号情報系列と多重化し、
【００４０】
前記ＯＦＤＭ信号受信装置が有する高速フーリエ変換器は、前記パイロット信号制御器が出力する制御信号を入力され、高速フーリエ変換を行った受信パイロット信号を該制御信号が示す周期で前記逆行列演算器へ出力する、ことを特徴とするＯＦＤＭ信号伝送装置である。
【００４１】
請求項３に記載の発明は、Ｎ系統（Ｎは２以上の整数）のＯＦＤＭ信号情報系列のそれぞれに対応するＮ個の既知のパイロット信号を発生させるＮ個のパイロット信号発生器と、前記Ｎ個のパイロット信号発生器にそれぞれ接続され、前記ＯＦＤＭ信号情報系列と前記パイロット信号とをそれぞれ多重化するＮ個のパイロット信号多重化器と、
【００４２】
前記Ｎ個のパイロット信号多重化器にそれぞれ接続され、該各パイロット信号多重化器が出力するＯＦＤＭ信号系列に対し高速逆フーリエ変換を行うＮ個の高速逆フーリエ変換器と、前記Ｎ個の高速逆フーリエ変換器にそれぞれ接続され、該各高速逆フーリエ変換器が出力するＯＦＤＭ信号系列を、送信ＯＦＤＭ信号系列として同一の無線周波数で送信するＮ個の送信アンテナと、
を有するＯＦＤＭ信号送信装置であって、
【００４３】
前記Ｎ個の送信アンテナから送信され、空間で相互に干渉した送信ＯＦＤＭ信号系列を、受信ＯＦＤＭ信号系列として受信するＮ個の受信アンテナと、前記Ｎ個の受信アンテナにそれぞれ接続され、該各受信アンテナで受信された受信ＯＦＤＭ信号系列に対し高速フーリエ変換を行うＮ個の高速フーリエ変換器と、前記Ｎ個の高速フーリエ変換器がそれぞれ出力する受信ＯＦＤＭ信号系列に含まれる受信パイロット信号をそれぞれ入力され、該各受信パイロット信号の受信振幅および位相と、
【００４４】
前記各既知のパイロット信号の振幅および位相とから、各サブキャリアごとに、送信アンテナと受信アンテナの全ての組み合わせについての（Ｎ×Ｎ）個の伝達係数を要素とする行列を算出し、該行列の逆行列である伝達係数逆行列を算出し記憶する逆行列演算器と、
【００４５】
前記Ｎ個の高速フーリエ変換器がそれぞれ出力する受信ＯＦＤＭ信号系列に含まれる任意のサブキャリアに係る受信ＯＦＤＭ信号情報系列と、前記逆行列演算器が記憶する該任意のサブキャリアに係る前記伝達係数逆行列との積を演算し、該任意のサブキャリアに係る前記ＯＦＤＭ信号情報系列を出力する干渉キャンセラと、を有し、
【００４６】
前記逆行列演算器が、さらに、前記各受信パイロット信号の受信振幅および位相と、前記各既知のパイロット信号の振幅および位相とを用いて補正伝達係数逆行列を算出する手段と、該補正伝達係数逆行列の各要素と前記記憶された伝達係数逆行列の各要素との加重平均を要素とする行列を算出する手段と、該算出された行列を新たな伝達係数逆行列として記憶する手段とを有する、ＯＦＤＭ信号受信装置、へＯＦＤＭ信号系列を送信することを特徴とするＯＦＤＭ信号送信装置である。
【００４７】
請求項４に記載の発明は、請求項３に記載のＯＦＤＭ信号送信装置であって、さらに、前記ＯＦＤＭ信号受信装置からの応答信号の受信品質に基づいて、前記パイロット信号が前記ＯＦＤＭ信号情報系列と多重化される周期を決定し該決定した周期を示す制御信号を出力するパイロット信号制御器を有し、
【００４８】
前記パイロット信号多重化器は、前記パイロット信号制御器が出力する制御信号を入力され、該制御信号が示す周期でパイロット信号を前記ＯＦＤＭ信号情報系列と多重化し、前記パイロット信号制御器が出力する制御信号を入力され、高速フーリエ変換を行った受信パイロット信号を該制御信号が示す周期で前記逆行列演算器へ出力する前記高速フーリエ変換器を、請求項３に記載の高速フーリエ変換器に代えて有するＯＦＤＭ信号受信装置へＯＦＤＭ信号系列を送信する、
ことを特徴とするＯＦＤＭ信号送信装置である。
【００４９】
請求項５に記載の発明は、Ｎ系統（Ｎは２以上の整数）のＯＦＤＭ信号情報系列のそれぞれに対応するＮ個の既知のパイロット信号を発生させるＮ個のパイロット信号発生器と、前記Ｎ個のパイロット信号発生器にそれぞれ接続され、前記ＯＦＤＭ信号情報系列と前記パイロット信号とをそれぞれ多重化するＮ個のパイロット信号多重化器と、
【００５０】
前記Ｎ個のパイロット信号多重化器にそれぞれ接続され、該各パイロット信号多重化器が出力するＯＦＤＭ信号系列に対し高速逆フーリエ変換を行うＮ個の高速逆フーリエ変換器と、前記Ｎ個の高速逆フーリエ変換器にそれぞれ接続され、該各高速逆フーリエ変換器が出力するＯＦＤＭ信号系列を、送信ＯＦＤＭ  信号系列として同一の無線周波数で送信するＮ個の送信アンテナと、を有するＯＦＤＭ信号送信装置、から送信されるＯＦＤＭ信号系列を受信するＯＦＤＭ信号受信装置であって、
【００５１】
前記Ｎ個の送信アンテナから送信され、空間で相互に干渉した送信ＯＦＤＭ信号系列を、受信ＯＦＤＭ信号系列として受信するＮ個の受信アンテナと、
前記Ｎ個の受信アンテナにそれぞれ接続され、該各受信アンテナで受信された受信ＯＦＤＭ信号系列に対し高速フーリエ変換を行うＮ個の高速フーリエ変換器と、
【００５２】
前記Ｎ個の高速フーリエ変換器がそれぞれ出力する受信ＯＦＤＭ信号系列に含まれる受信パイロット信号をそれぞれ入力され、該各受信パイロット信号の受信振幅および位相と、前記各既知のパイロット信号の振幅および位相とから、各サブキャリアごとに、送信アンテナと受信アンテナの全ての組み合わせについての（Ｎ×Ｎ）個の伝達係数を要素とする行列を算出し、該行列の逆行列である伝達係数逆行列を算出し記憶する逆行列演算器と、
【００５３】
前記Ｎ個の高速フーリエ変換器がそれぞれ出力する受信ＯＦＤＭ信号系列に含まれる任意のサブキャリアに係る受信ＯＦＤＭ信号情報系列と、前記逆行列演算器が記憶する該任意のサブキャリアに係る前記伝達係数逆行列との積を演算し、該任意のサブキャリアに係る前記ＯＦＤＭ信号情報系列を出力する干渉キャンセラと、を有し、
【００５４】
前記逆行列演算器は、前記各受信パイロット信号の受信振幅および位相と、前記各既知のパイロット信号の振幅および位相とを用いて補正伝達係数逆行列を算出する手段と、該補正伝達係数逆行列の各要素と前記記憶された伝達係数逆行列の各要素との加重平均を要素とする行列を算出する手段と、該算出された行列を新たな伝達係数逆行列として記憶する手段と、を有する、ことを特徴とするＯＦＤＭ信号受信装置である。
【００５５】
請求項６に記載の発明は、請求項５に記載のＯＦＤＭ信号受信装置であって、前記ＯＦＤＭ信号受信装置からの応答信号の受信品質に基づいて、前記パイロット信号が前記ＯＦＤＭ信号情報系列と多重化される周期を決定し該決定した周期を示す制御信号を出力するパイロット信号制御器をさらに有し、前記パイロット信号多重化器が、前記パイロット信号制御器が出力する制御信号を入力され、該制御信号が示す周期でパイロット信号を前記ＯＦＤＭ信号情報系列と多重化する前記ＯＦＤＭ信号送信装置、から送信されるＯＦＤＭ信号系列を受信し、
【００５６】
前記高速フーリエ変換器は、前記パイロット信号制御器が出力する制御信号を入力され、高速フーリエ変換を行った受信パイロット信号を該制御信号が示す周期で前記逆行列演算器へ出力する、ことを特徴とするＯＦＤＭ信号受信装置である。
【００５７】
本発明によれば、逆行列演算器は、任意のＴＤＭＡバーストに含まれる受信パイロット信号に基づいて補正伝達係数逆行列を推定し、この推定した補正伝達係数逆行列の各要素と逆行列演算器が記憶している伝達係数逆行列の各要素との加重平均を各要素とする行列を算出し、この算出した行列を新たな伝達係数逆行列として記憶する。
【００５８】
このため、本発明によれば、逆行列演算器は、ＯＦＤＭ信号受信装置がＯＦＤＭ信号送信装置から繰り返し出射されるパイロット信号を順次受信するたびに、順次補正伝達係数逆行列を算出し、この順次算出した補正伝達係数逆行列を用いて伝達係数逆行列を順次補正することができる。
【００５９】
したがって、本発明によれば、任意のＴＤＭＡバーストについて、一回限り伝達係数逆行列を推定し、この推定した逆行列を補正することがなかった従来と比較して、伝達係数逆行列の推定精度を向上させることができる。
【００６０】
よって、本発明によれば、従来よりも高い精度で推定された伝達係数逆行列を受信ＯＦＤＭ情報信号における相互干渉のキャンセルに用いることができるため、送信ＯＦＤＭ情報信号を従来よりも正確に復元することができる。
【００６１】
【発明の実施の形態】
以下に、図面を参照しつつ、本発明の好適な実施の形態について詳細に説明する。
【００６２】
図１は、本発明の実施の形態に係るＯＦＤＭ信号伝送装置を示す図である。
本ＯＦＤＭ信号伝送装置は、図１に示すとおり、ＯＦＤＭ信号送信装置１とＯＦＤＭ信号受信装置２から構成される。
【００６３】
本実施の形態においては、ＯＦＤＭ信号送信装置１からＯＦＤＭ信号受信装置２へ送信されるべき情報信号系列をＯＦＤＭ信号情報系列とする。ＯＦＤＭ信号情報系列は、長さ（Ｌ×（Ｋ−１）＋Ｌ0）のＯＦＤＭシンボル（ただしＬ0≦Ｌ）からなり、Ｎ系統存在する。本実施の形態においては、各系統のＯＦＤＭ信号情報系列を、それぞれ、Ｔ1、Ｔ2、・・・ＴNとする。
【００６４】
パイロット信号発生器１−３−１〜１−３−Ｎは、これら各系統のＯＦＤＭ信号情報系列（Ｔ1、Ｔ2、・・・ＴN）にそれぞれ対応する既知のパイロット信号Ｐ11〜Ｐ1N、Ｐ21〜Ｐ2N、・・・、ＰN1〜ＰNNを発生させる。
【００６５】
パイロット信号多重化器１−４−１〜１−４−Ｎは、ＯＦＤＭ信号情報系列（Ｔ1、Ｔ2、・・・ＴN）と、既知のパイロット信号（Ｐ11〜Ｐ1N、Ｐ21〜Ｐ2N、・・・、ＰN1〜ＰNN）と、パイロット信号制御器１−５の制御信号とを入力され、ＯＦＤＭ信号情報系列（Ｔ1、Ｔ2、・・・ＴN）と、各ＯＦＤＭ信号情報系列にそれぞれ対応する既知のパイロット信号（Ｐ11〜Ｐ1N、Ｐ21〜Ｐ2N、・・・、ＰN1〜ＰNN）とを、制御信号に基づき時間軸上においてそれぞれ多重化する。
【００６６】
図２は、本発明の実施の形態に係るパイロット信号多重化器の詳細な構成を示す図である。図２に示すように、パイロット信号多重化器１−４−ｎ（１≦ｎ≦Ｎ）は、ＯＦＤＭ信号情報系列分割回路１−４−ｎと、パイロット信号多重化回路１−４−ｎ−２とから構成される。
【００６７】
ＯＦＤＭ信号情報系列分割回路１−４−ｎは、ＯＦＤＭ信号情報系列Ｔnと、パイロット信号制御器３−５が出力する制御信号を入力される。制御信号は、パイロット信号（Ｐ11〜Ｐ1N、Ｐ21〜Ｐ2N、・・・、ＰN1〜ＰNN）とＯＦＤＭ信号情報系列（Ｔ1、Ｔ2、・・・ＴN）とを多重化する周期を示す信号であり、本実施の形態においては、ＯＦＤＭシンボル長Ｌを示すものとする。
【００６８】
ＯＦＤＭ信号情報系列分割回路１−４−ｎは、入力されたＯＦＤＭ信号情報系列Ｔnを制御信号に従い長さＬのＯＦＤＭシンボルＴn1〜ＴnKに分割し、それぞれ出力する。
【００６９】
パイロット信号多重化回路１−４−ｎ−２は、ＯＦＤＭ信号情報系列分割回路１−４−ｎが出力する長さＬのＯＦＤＭシンボルＴn1、Ｔn2・・・、ＴnKと、パイロット信号発生器１−３−ｎが発生した既知のパイロット信号Ｐ11〜Ｐ1N、Ｐ21〜Ｐ2N、・・・、ＰN1〜ＰNNとを入力される。
【００７０】
パイロット信号多重化回路１−４−ｎ−２は、入力された長さＬのＯＦＤＭシンボルＴn1、Ｔn2・・・、ＴnKの先頭に、入力された既知のパイロット信号Ｐ11〜Ｐ1N、Ｐ21〜Ｐ2N、・・・、ＰN1〜ＰNNをそれぞれ配置する。
【００７１】
このようにして、本ＯＦＤＭ信号情報系列分割回路１−４−ｎは、既知のパイロット信号Ｐ11〜Ｐ1N、Ｐ21〜Ｐ2N、・・・、ＰN1〜ＰNNを、ＯＦＤＭ信号情報系列（Ｔ1、Ｔ2、・・・ＴN）の先頭および途中に、等間隔（Ｌ  ＯＦＤＭシンボル）で挿入する。
【００７２】
パイロット信号制御器１−５は、出力するＯＦＤＭシンボル長Ｌを、ＯＦＤＭ信号受信装置２からの応答信号の受信品質に基づいて決定することができる。
したがって、パイロット信号制御器１−５は、ＯＦＤＭ信号受信装置２からの応答信号の受信品質が向上した場合にはＯＦＤＭシンボル長Ｌを長くし、逆に受信品質が劣化した場合はＯＦＤＭシンボル長Ｌを短くして、ＯＦＤＭシンボル長Ｌを適応的に制御する手段を有することができる。
【００７３】
パイロット信号多重化器１−４−ｎは、上記のようにして多重化したＯＦＤＭ信号系列を、各高速逆フーリエ変換器１−１−１〜１−１−Ｎへ出力する。
高速逆フーリエ変換器１−１−１〜１−１−Ｎにおいてそれぞれ高速逆フーリエ変換された各ＯＦＤＭ信号系列は、各送信アンテナ１−２−１〜１−２−Ｎにそれぞれ入力され、送信ＯＦＤＭ信号系列として、ＯＦＤＭ信号受信装置２に向けて送信される。
【００７４】
送信アンテナ１−２−１〜１−２−Ｎから送信されたＯＦＤＭ信号系列は、空間において相互に加算され、ＯＦＤＭ信号受信装置２は、この相互に加算された信号を受信ＯＦＤＭ信号系列として各受信アンテナ２−１−１〜２−１−Ｎで受信する。
【００７５】
受信ＯＦＤＭ信号系列においては、受信ＯＦＤＭ信号情報系列Ｒ11〜Ｒ1K、Ｒ21〜Ｒ2K、・・・、ＲN1〜ＲNKと、これらＲ11〜Ｒ1K、Ｒ21〜Ｒ2K、・・・、ＲN1〜ＲNKにそれぞれ対応した受信パイロット信号Ｐr111〜Ｐr1NK、Ｐr211〜Ｐr2NK、・・・、ＰrN11〜ＰrNNKとがそれぞれ時間軸上において多重化されている。
【００７６】
各高速フーリエ変換器２−２−１〜２−２−Ｎは、各受信アンテナ２−１−１〜２−１−Ｎで受信された信号を入力され、これら信号を高速フーリエ変換する。各高速フーリエ変換器２−２−１〜２−２−Ｎは、前記ＯＦＤＭシンボル長Ｌと同一の間隔で、受信パイロット信号を逆行列演算器４−３へ出力する。
【００７７】
各高速フーリエ変換器２−２−１〜２−２−Ｎに、ＯＦＤＭシンボル長Ｌを通知する手段としては、たとえば、ＯＦＤＭ信号送信装置１からＯＦＤＭ信号受信装置２へ送信される制御用信号に、ＯＦＤＭシンボル長Ｌを含ませる手段が可能である。
【００７８】
図３は、本実施の形態に係る逆行列演算器２−３の詳細な構成を示す図である。伝達係数逆行列演算回路２−３−１は、受信パイロット信号を入力される。伝達係数逆行列演算回路２−３−１は、入力されたｉ番目のサブキャリアにおける前記受信パイロット信号のうち先頭のＰr111〜Ｐr1N1、Ｐr211〜Ｐr21、・・・、ＰrN11〜ＰrNN1と、パイロット信号記憶回路２−３−２に記憶されている既知の送信パイロット信号Ｐ11〜Ｐ1N、Ｐ21〜Ｐ2N、・・・、ＰN1〜ＰNNと、数３とを用いて、伝達係数逆行列（Ｈ1i）-1を算出し、伝達係数逆行列記憶回路２−３−３に格納する。
【００７９】
干渉キャンセラ２−４では、高速フーリエ変換器２−２−１〜２−２−Ｎが出力する受信ＯＦＤＭ信号情報系列Ｒ11〜Ｒ1K、Ｒ21〜Ｒ2K、・・・、ＲN1〜ＲNKと、逆行列演算器２−３が出力する伝達係数逆行列（Ｈi）-1を用いて、次のように送信ＯＦＤＭ信号情報系列Ｔ11、Ｔ21・・・、Ｔn1を復元する。
【００８０】
【数６】
0003774168.tif 000007
【００８１】
次に、伝達係数逆行列演算回路２−３−１は、Ｐr112〜Ｐr1N2、Ｐr212〜Ｐr22、・・・、ＰrN12〜ＰrNN2と、パイロット信号記憶回路２−３−２に記憶されている既知の送信パイロット信号Ｐ11〜Ｐ1N、Ｐ21〜Ｐ2N、・・・、ＰN1〜ＰNNとを用いて、補正伝達係数逆行列（Ｈ2ri）-1を次のように算出する。
【００８２】
【数７】
0003774168.tif 000008
【００８３】
加重平均演算回路２−３−４は、伝達係数逆行列記憶回路２−３−３に格納された伝達係数逆行列（Ｈi）-1と、前記補正伝達係数逆行列（Ｈ2ri）-1との加重平均（Ｈ2i）-1を次のように算出する。
【００８４】
【数８】
0003774168.tif 000009
数８において、μは忘却係数であり、０≦μ≦１である。
【００８５】
干渉キャンセラ２−４では、高速フーリエ変換器２−２−１〜２−２−Ｎが出力する受信ＯＦＤＭ信号情報系列Ｒ12、Ｒ22、・・・、ＲN2と、逆行列演算器２−３が出力する伝達係数逆行列（Ｈ2i）-1とを用いて、送信ＯＦＤＭ信号情報系列Ｔ12、Ｔ22・・・、Ｔn2を次のように復元する。
【００８６】
【数９】
0003774168.tif 000010
伝達係数逆行列演算回路２−３は、このように、サブキャリアｉに係る受信パイロット信号が入力されるたびに、補正伝達係数逆行列（Ｈk-1ri）-1（２≦ｋ≦Ｋ）を数７〜数９に従い算出し、この算出された（Ｈk-1ri）-1を用いて伝達係数逆行列（Ｈk-1i）-1を算出する。
【００８７】
伝達係数逆行列演算回路２−３は、算出した伝達係数逆行列（Ｈk-1i）-1を用いて、受信ＯＦＤＭ信号情報系列における相互干渉をキャンセルし、送信ＯＦＤＭ信号情報系列を復元する。
【００８８】
本ＯＦＤＭ信号伝送装置は、以上のようにして、ｉ番目のサブキャリアで送信されたＯＦＤＭ信号情報系列Ｔ11〜Ｔ1K、Ｔ21〜Ｔ2K・・・、ＴN1〜ＴNKを復元し、送信ＯＦＤＭ信号情報系列Ｔ1、Ｔ2、・・・、ＴNとして再構成し、出力する。
【００８９】
以上説明したように、本ＯＦＤＭ信号伝送装置におけるＯＦＤＭ信号受信装置は、各サブキャリアについての干渉キャンセルのための伝達係数逆行列をＯＦＤＭシンボル長Ｌ間隔で順次補正する。
【００９０】
したがって、ＯＦＤＭ信号伝送装置によれば、高い精度で伝達係数逆行列を推定できる。よって、本ＯＦＤＭ信号伝送装置によれば、受信ＯＦＤＭ情報信号における相互干渉のキャンセルを高い精度で行うことができる。
【００９１】
【発明の効果】
以上説明したように、本発明によれば、ＯＦＤＭ信号受信装置は、各サブキャリアについての干渉キャンセルのための伝達係数逆行列を、ＯＦＤＭシンボル長Ｌ間隔で補正することができる。
【００９２】
したがって、本発明によれば、伝達係数逆行列を任意のＴＤＭＡバーストの先頭に位置するパイロット信号に基づいて一回推定するのみであった従来のＯＦＤＭ信号伝送と比較して、伝達係数逆行列の推定精度を向上させることができる。
【００９３】
また、本発明によれば、フェージングの時間的変動の大きさに応じて、パイロット信号の挿入の間隔を制御することができるため、フェージングの時間的変動を考慮した、より精度の高い伝達係数逆行列の推定を行うことができる。
【００９４】
よって、本発明によれば、高速なマルチパスフェージング環境下において高品質の信号伝送を行うことができるため、フェージングの時間的変動が大きい場合であっても、飛躍的な周波数利用効率を達成することができ、かつ、大容量・高速の信号伝送を行うことができる。
【図面の簡単な説明】
【図１】本発明の実施の形態に係るＯＦＤＭ信号伝送装置を示す図である。
【図２】本発明の実施の形態に係るパイロット信号多重化器の詳細な構成を示す図である。
【図３】本実施の形態に係る逆行列演算器２−３の詳細な構成を示す図である。
【図４】従来のＯＦＤＭ信号伝送装置を示す図である。
【図５】送信ＯＦＤＭ信号系列の例を示す図である。
【図６】受信アンテナ４−１−１〜４−１−Ｎで受信される受信ＯＦＤＭ信号系列の例を示す図である。
【符号の説明】
【符号の説明】
１    ＯＦＤＭ信号送信装置
１−１−１〜１−１−Ｎ    高速逆フーリエ変換器
１−２−１〜１−２−Ｎ    送信アンテナ
１−３−１〜１−３−Ｎ    パイロット信号発生器
１−４−１〜１−４−Ｎ    パイロット信号多重化器
１−４−ｎ    パイロット信号多重化器
１−４−ｎ−１    ＯＦＤＭ信号情報系列分割回路
１−４−ｎ−２    パイロット信号多重化回路
１−５    パイロット信号制御器
２    ＯＦＤＭ信号受信装置
２−１−１〜２−１−Ｎ    受信アンテナ
２−２−１〜２−２−Ｎ    高速フーリエ変換器
２−３    逆行列演算器
２−３−１    伝達係数逆行列演算回路
２−３−２    パイロット信号記憶回路
２−３−３    伝達係数逆行列記憶回路
２−３−４    加重平均演算回路
２−４    干渉キャンセラ
３    ＯＦＤＭ信号送信装置
３−１−１〜３−１−Ｎ    高速逆フーリエ変換器
３−２−１〜３−２−Ｎ    送信アンテナ
３−３−１〜３−３−Ｎ    パイロット信号発生器
３−４−１〜３−４−Ｎ    パイロット信号多重化器
４    ＯＦＤＭ信号受信装置
４−１−１〜４−１−Ｎ    受信アンテナ
４−２−１〜４−２−Ｎ    高速フーリエ変換器
４−３    逆行列演算器
４−４    干渉キャンセラ
【図１】
0003774168.tif 000011
【図２】
0003774168.tif 000012
【図３】
0003774168.tif 000013
【図４】
0003774168.tif 000014
【図５】
0003774168.tif 000015
【図６】
0003774168.tif 000016